(57)【要約】【課題】  書類の厚さに対応できる使い勝手のよいポケット付きファイルを提供する。【解決手段】  中央谷折り線Ｌで二つ折りされるファイル本体１の下側辺に沿った谷折り線Ｐ１により内方に折り返された底部折り返し片２１と、ファイル本体１の側辺に沿った谷折り線Ｑ１により内方に折り返された側部折り返し片２２とを互いに連繋させてポケット部２を構成した付きファイルにおいて、前記底部折り返し片２１および側部折り返し片２２のそれぞれに対して、前記ポケット部２に収容される書類Ｍの厚さに応じて選択して使用される複数の谷折り線Ｐ１，Ｐ２およびＱ１，Ｑ２を設ける。【選択図】        図１
0003103213.tif 000002
【実用新案登録請求の範囲】
【請求項１】
中央谷折り線を挟んで一方の部位が表表紙で、他方の部位が裏表紙となるように前記谷折り線で二つ折りされるファイル本体と、
前記裏表紙の内面と表表紙の内面のうちの少なくとも一方に設けられた書類保持用ポケット部とを備え、
前記ファイル本体の下側辺に沿った谷折り線で内方に折り返された底部折り返し片と、ファイル本体の側辺に沿った谷折り線で内方に折り返された側部折り返し片とを連繋して前記ポケット部を構成したポケット付きファイルにおいて、
前記底部折り返し片および側部折り返し片のそれぞれに対して、前記ポケット部に収容される書類の厚さに応じて選択して使用される複数の谷折り線を設けていることを特徴とするポケット付きファイル。
【請求項２】
前記底部折り返し片および側部折り返し片に対して第１および第２の２本の谷折り線をそれぞれ設けてあり、
前記底部折り返し片および側部折り返し片の各先端側に、内方への折り返しによって互いに重なり合う重合部を形成するとともに、これら重合部の各重合端にそれぞれ係止突部を有する差し込み片を一体形成し、
前記底部折り返し片および側部折り返し片うちの一方の折り返し片に、厚さの小さい書類の収容に対応して前記第１の谷折り線のみを使用して折り返した際に相手側の差し込み片を外面側から内面側に差し込ませる第１切り込み線を形成し、他方の折り返し片に、厚さの大きい書類の収容に対応して前記第１および第２の谷折り線を使用して折り返した際に相手側の差し込み片を外面側から内面側に差し込ませる第２切り込み線を形成してなる請求項１に記載のポケット付きファイル。
【請求項３】
前記第１および第２切り込み線の長手方向の両端に、拡大孔部を形成してなる請求項２に記載のポケット付きファイル。
【請求項４】
前記拡大孔部の周縁の一部に非切断連続部を有して、孔部打抜き片が折返し片に残存されたものとなされている請求項３に記載のポケット付きファイル。
【請求項５】
前記表表紙の外面に名刺の両端をそれぞれ差し込み保持する一対の切り込み線を形成した請求項１ないしは３に記載のポケット付きファイル。
【考案の詳細な説明】
【技術分野】
【０００１】
この考案は、印刷用紙などの各種書類を保持して保管したり、携行するのに使用されるポケット付きファイルに関する。
【背景技術】
【０００２】
従来より、各種書類を表表紙と裏表紙との間に挟み込んで保持できるようにしたポケット付きファイルが知られており（例えば、実用新案文献１）、オフィスは元より一般家庭などでも広く普及している。
【０００３】
具体的に、このファイルは、図１０に示すように、４角状厚紙などのシート状物の内面中央に谷折り線Ｌを設けて該シート状物を二つ折りにし、一方の部位１０１Ａが表表紙で他方の部位１０１Ｂが裏表紙となるファイル本体１０１を構成し、前記裏表紙１０１Ｂの内面に、書類保持用ポケット部１０２を設けてある。そして、このポケット部１０２は、裏表紙１０１Ｂの下側辺に沿った谷折り線Ｐにより内側に折り返された底部折り返し片１０３と、裏表紙１０１Ｂの側辺に沿った谷折り線Ｑにより内側に折り返された側部折り返し片１０４とを互いに連繋して形成されている。
【０００４】
このようなポケット付きファイルは、書類をポケット部１０２に収容できるので、ファイルに挟んだ書類が不用意にずれ落ちたりしにくく扱いやすい。とくに、側部折り返し片１０４などに糊代を設けなくても、前記ポケット部１０２を組み立てられるので、書類などをポケット部１０２にスムースに差し込ませることができるなどの利点があり、オフィスなどで重宝されている。
【０００５】
【特許文献１】実用新案登録第３０９４９２５号公報（第４頁、第５頁、第１図、第４図）。
【考案の開示】
【考案が解決しようとする課題】
【０００６】
ところで、オフィスなどで扱う書類は、コピー用紙などが１枚などのときもあれば、冊子状に綴じられて比較的分厚い書類もあり、ポケット付きファイルとしてもこの書類の厚さに対応できることが望まれる。
【０００７】
ところが、前記した従来技術においては、前記ポケット部１０２における底部折り返し片１０３および側部折り返し片１０４を折り返すための各谷折り線Ｐ，Ｑがそれぞれ一本であり、厚さの小さい書類はポケット部１０２に余裕をもって収容できるものの、書類の厚さが大きくなると、ポケット部１０２の組み付け状態が崩れるおそれがあって使い辛いという問題があった。
【０００８】
この考案は、上記実情に鑑みてなされたものであり、書類の厚さ変化に左右されることなく、該書類をポケット部に適正に保持させることができる使い勝手のよいポケット付きファイルを提供することを課題としている。
【課題を解決するための手段】
【０００９】
上記課題を解決するために、請求項１の考案は、中央谷折り線を挟んで一方の部位が表表紙で、他方の部位が裏表紙となるように前記谷折り線で二つ折りされるファイル本体と、前記裏表紙の内面と表表紙の内面のうちの少なくとも一方に設けられた書類保持用ポケット部とを備え、前記ファイル本体の下側辺に沿った谷折り線で内方に折り返された底部折り返し片と、ファイル本体の側辺に沿った谷折り線で内方に折り返された側部折り返し片とを連繋して前記ポケット部を構成したポケット付きファイルにおいて、前記底部折り返し片および側部折り返し片のそれぞれに対して、前記ポケット部に収容される書類の厚さに応じて選択して使用される複数の谷折り線を設けていることを特徴とするポケット付きファイルに係わるものである。
【００１０】
また、請求項２の考案は、前記底部折り返し片および側部折り返し片に対して第１および第２の２本の谷折り線をそれぞれ設けてあり、前記底部折り返し片および側部折り返し片の各先端側に、内方への折り返しによって互いに重なり合う重合部を形成するとともに、これら重合部の各重合端にそれぞれ係止突部を有する差し込み片を一体形成し、前記底部折り返し片および側部折り返し片うちの一方の折り返し片に、厚さの小さい書類の収容に対応して前記第１の谷折り線のみを使用して折り返した際に相手側の差し込み片を外面側から内面側に差し込ませる第１切り込み線を形成し、他方の折り返し片に、厚さの大きい書類の収容に対応して前記第１および第２の谷折り線を使用して折り返した際に相手側の差し込み片を外面側から内面側に差し込ませる第２切り込み線を形成したものである。
【００１１】
さらに、請求項３の考案は、前記第１および第２切り込み線の長手方向の両端に、拡大孔部を形成したものである。
【００１２】
そしてまた、請求項４に係る考案は、前記拡大孔部の周縁の一部に非切断連続部を有して、孔部打抜き片が折返し片に残存されたものとなされていることを特徴とするものである。
【００１３】
さらにまた、請求項５の考案は、前記表表紙の外面に名刺の両端をそれぞれ差し込み保持する一対の切り込み線を形成したものである。
【考案の効果】
【００１４】
請求項１の考案によれば、ファイル本体の表表紙と裏表紙との間に書類を挟んで保管したり、携行できることは元より、ポケット部を構成する底部折り返し片および側部折り返し片をそれぞれ対応する一つの谷折り線を使って内方に折り返せば、厚さが小さい書類を前記ポケット部に収容できる他、前記底部折り返し片を対応する複数の谷折れ線を使って内方に２段に折り返す一方、前記側部折り返し片も対応する複数の谷折り線を使って内方に２段に折り返せば、書類の厚さが大きい場合でも、前記ポケット部を崩すことなく、書類Ｍをしっかりと収容でき、使いやすくなる。
【００１５】
また、請求項２の考案によれば、底部折り返し片および側部折り返し片のうちの一方の折り返し片側における差し込み片を他方の折り返し片側における切り込み線に差し込むだけで簡単に前記ポケット部を組み立てられるうえ、二つの切り込み線が底部折り返し片と側部折り返し片とに分けて形成されているので、切り込み線形成部位の強度が保たれ、前記底部折り返し片と側部折り返し片との接続状態が良好に維持される。
【００１６】
さらに、請求項３の考案によれば、差し込み片を切り込み線に挿脱する際に、該切り込み線内縁に無理な応力が集中したとしても、前記拡大孔部で応力が分散されるので、前記切り込み線が引き裂かれるような事態を回避でき、長期にわって良好に使用することができる。
【００１７】
そしてまた、請求項４の考案によれば、上記請求項３の効果に加え、拡大孔部の周縁の一部に非切断連続部を有して、孔部打抜き片が折返し部に残存されたものとなされていることにより、ファイルの製作に際し、予め材料シートから所定のファイル展開形状に切断加工すると同時に、切込み線、拡大孔部、折り線等の付与加工を行ったのちに、該展開形状のファイルに対して事後的に印刷等の所要の印刷を施すことが可能になる。即ち、拡大孔部を予め完全に打抜き形成したのちに、印刷を施そうとするときは、小さな孔部打抜き片が印刷機に詰まることがあり、汚れ、故障等の障害を及ぼすおそれがあるのに対し、上記のように孔部打抜き片を残存せしめたものとすることにより、上記のような障害原因を取除き、切断加工後の事後印刷を支障なく行いうるものとなし得て、ファイルの表面の一部分のみに印刷を施すような場合において、製造上の大きなメリットを享受しうる。
【００１８】
さらにまた、請求項５の考案によれば、表表紙に形成された一対に切り込み間で名刺を簡単に差し込んで保持させることができる。
【考案を実施するための最良の形態】
【００１９】
以下、この考案の実施形態を図面に基づいて説明する。
【００２０】
図１は、この考案の実施形態にかかるポケット付きファイルを展開して示す平面図、図２は、同じくファイルを折り畳んだ状態で示す外観斜視図である。
【００２１】
図１および図２において、このポケット付きファイルは、ファイル本体１と、このファイル本体１の内面に設けられたポケット部２とを備えている。
【００２２】
前記ファイル本体１は、平面形状が４角形の厚紙ないしは樹脂シートから成形されており、その内面における左右方向の中央には、折り曲げ用の谷折り線Ｌが形成されており、この谷折り線Ｌにより図２に示すように、二つ折りに折り畳むことできるようになっている。なお、ここでのファイルは、長方形の書類Ｍを縦にして収容する縦長仕様を例にしているために、ファイル本体１を左右方向の中央で折り畳む構成であるが、ファイル本体１を上下の方向の中央で折り畳む構成であってもよい。
【００２３】
二つ折り可能なファイル本体１は、谷折り線Ｌを挟んで左側部位が表表紙（カバー片）１Ａとなり、右側部位が裏表紙（ポケット部形成片）１Ｂとなっている。なお、このファイル本体１の構成材は、前記谷折り線Ｌが良好に形成できるものであれば、任意に選択すればよい。
【００２４】
また、このファイル本体１のサイズは、オフィスなどで多く使用されるＡ４もしくはＢ４の書類が収容できる大きさが無難であるが、これに限定されるものではない。
【００２５】
前記ファイル本体１における表表紙１Ａの外面（表面）側には、図２に明瞭に示すように、左右一対のＺ形の切り込み線１１、１１が形成されており、上方から差し込まれた名刺Ｎの左右両端をそれぞれ保持するようになっている。
【００２６】
なお、この名刺し込み用の切り込み線１１，１１は、Ｚ形に限らず、例えば名刺Ｎのコーナに対応する傾斜切り込み線などであってもよいが、この例のように、Ｚ形にすれば、名刺Ｎを上方からの挿入操作で切り込み線１１，１１に簡単に差し込むことができる利点がある。
【００２７】
前記ポケット部２は、ファイル本体１における裏表紙１Ｂ側の下側辺に沿った谷折り線Ｐ１により図３に示すように、内方に折り返された底部折り返し片２１と、ファイル本体１における裏表紙１Ｂ側の側辺に沿った谷折り線Ｑ１により図３に示すように、内方に折り返された側部折り返し片２２とを互いに係合させて構成されている。
【００２８】
これら底部折り返し片２１および側部折り返し片２２には、互いに連繋できるように、折り返し状態で互いに重なり合う重合部２１Ａ，２２Ａがそれぞれ連成されており、これにより、前記底部折り返し片２１は、底辺からの距離が重合部２１Ａにおいて最長となる略山形に形成される一方、側部折り返し片２２も、側片からの距離が重合部２２Ａにおいて最長となる略山形に形成されている。
【００２９】
前記底部折り返し片２１の根元部位には、ポケット部２に収容される書類Ｍの厚さが大きい時に対応して、前記谷折り線Ｐ１よりも外方に位置して該谷折り線Ｐ１と平行な第２の谷折り線Ｐ２が形成されている。
【００３０】
また、側部折り返し片２２の根元部位にも、ポケット部２に収容される書類Ｍの厚さが大きい時に対応して、前記谷折り線Ｑ１よりも外方に位置して該谷折り線Ｑ１と平行な第２の谷折り線Ｑ２が形成されている。具体的には、前記底部折り返し片２１および側部折り返し片２２を折り返す際に、書類Ｍの厚さが比較的小さい時には、前記谷折り線Ｐ１，Ｑ１のみを使用し、逆に、書類Ｍの厚さが大きい時には、前記谷折り線Ｐ１，Ｐ２およびＱ１，Ｑ２を使用するようになっている。つまり、書類Ｍの厚さが比較的大きい時には、谷折り線Ｐ１，Ｐ２間およびＱ１，Ｑ２間の間隔が書類厚さに対応するポケット部２の「襠」寸法となる。
【００３１】
前記底部折り返し片２１の重合部２１Ａおよび側部折り返し片２２の重合部２２Ａにおける各傾斜した重合端には、互いに相手側に突出する差し込み片２３，２４がそれぞて連成されている。各差し込み片２３，２４は、図３に示すように、その突出長が前記ポケット部２のコーナ部Ｘに近づくにつれて大寸に形成されており、コーナー部よりも離れた側の端縁には、爪先形の係止突部２３ａ，２４ａがそれぞれ一体形成されている（図８参照）。
【００３２】
前記底部折り返し片２１側の重合部２１Ａには、該底部折り返し片２１を第１および第２の谷折り線Ｐ１，Ｐ２でそれぞれ直角に折り込む一方、前記側部折り返し片２２を第１および第２の谷折り線Ｑ１，Ｑ２でそれぞれ直角に折り込んだ状態（ポケット部２に「襠」がある状態）で、該側部折り返し片２２側の差し込み片２４を外面側から内面側に差し込ませる第１切り込み線２５が形成されており、この第１切り込み線２５の両端には、それぞれ円形の拡大孔部が形成されている。
【００３３】
また、側部折り返し片２２側の重合部２２Ａには、該底部折り返し片２１を第１谷折り線Ｐ１のみで内側に折り込む一方、前記側部折り返し片２２も第１谷折り線Ｑ１のみで内側に折り込んだ状態（ポケット部２に「襠」がない状態）で、該底部折り返し片２１側の差し込み片２３を外面側から内面側に差し込ませる切り込み線２６が形成されており、この切り込み線２６の両端にも、前記と同様にそれぞれ円形の拡大孔部２６ａ，２６ｂが形成されている。
【００３４】
つぎに、このファイルを組み立てる手順を説明する。
（１）書類Ｍの厚さが小さい場合
まず、図１に示す展開状態のファイル本体１から、まず、図４および図５に示すように、底部折り返し片２１を第１谷折り線Ｐ１のみで内方に折り返す一方、前記側部折り返し片２２も第１谷折り線Ｑ１のみで内方に折り返す。
【００３５】
この状態で、前記底部折り返し片２１側の差し込み片２３を側部折り返し片２２側の切り込み線２６に対して外面側から内面側に差し込ませると、この差し込み片２３の先端の係止突部２３ａが前記切り込み線２６の内縁側に係脱可能に係止される。これにより、底部折り返し片２１の重合部２１Ａと側部折り返し片２２の重合部２２Ａとが繋がり、これにより前記ファイル本体１の裏表紙１Ｂ内面に平面形状が略直角三角形状のポケット部２が形成され、このポケット部２内に書類Ｍを差し込んで保持させることができる。
【００３６】
そして、書類Ｍを挟んだファイル本体１を図２に示すように、中央の谷折れ線Ｌで折り畳めれば、書類Ｍを安定保持状態で携行したりすることが可能となる。（２）書類の厚さが大きい場合
書類Ｍの厚さが大きい場合には、展開状態のファイル本体１から、図６および図７に示すように、底部折り返し片２１を第１谷折り線Ｐ１で略直角に内方へ折り返し、さらに第２谷折り線Ｐ２でも略直角に内方へ折り返す。一方、前記側部折り返し片２２も第１谷折り線Ｑ１で略直角に内方へ折り返し、さらに第２谷折り線Ｐ２でも略直角に内方へ折り返す。
【００３７】
この状態で、前記側部折り返し片２２側の差し込み片２４を底部折り返し片２１側の切り込み線２５に対して外面側から内面側に差し込ませると、この差し込み片２４の先端の係止突部２４ａが前記切り込み線２５の内縁側に係脱可能に係止される。これにより、底部折り返し片２１の重合部２１Ａと側部折り返し片２２の重合部２２Ａとが繋がり、ポケット部２が形成される。この場合、前記第１および第２谷折り線Ｐ１，Ｐ２およびＱ１，Ｑ２が折り曲げられてポケット部２に「襠」が形成されるので、厚さが比較的大きい書類Ｍであってもポケット部２内にしっかりと収容することができる。つまり、書類Ｍの厚さが小さい場合だけでなく、大きい場合でも書類Ｍを適正に挟んで収容でき、使い勝手が改善される。
【００３８】
なお、前記第１および第２切り込み線２５，２６を前記底部折り返し片２１（もしくは側部折り返し片２２）に、互いに近傍に位置して形成することも考えられるが、その場合、これら切り込み線２５，２６の形成部位の強度が弱くなり、前記差し込み片２４，２３の挿脱操作がうっかり手荒に行われると、切り込み線２５，２６が破損するおそれがある。しかし、上記のように、第１および第２切り込み線２５，２６を前記底部折り返し片２１と側部折り返し片２２との分けて形成してあると、この付近の強度が十分確保されて、前記差し込み片２４，２３による挿脱操作によって該切り込み線２５，２６付近が破れたりするおそれもない。
【００３９】
さらに、前記第１および第２差し込み片２４，２３が第１および第２切り込み線２５，２６に対して無理に差込まれても、前記拡大孔部２５ａ，２５および２６ａ，２６ｂで応力が分散されるから、前記第１および第２切り込み線２５，２６が引き裂かれたりするおそれもなくなる。
【００４０】
ここで、前記差し込み片２４，２３をそれぞれ切り込み線２５，２６に差し込む状況を以下に説明する。ここでは、説明の簡略上、差し込み片２４を切り込み線２５に差し込む状況を代表して図８を参照しつつ説明する。
【００４１】
前記差し込み片２４を切り込み線２５に差し込む際には、側部切り返し片２２における重合部２２Ａを指で掴んで少し持ち上げてから差し込み操作する必要がある。その時、差し込み片２４は、重合部２２Ａの重合端で規制されてコーナー部Ｘを中心して、実線矢印に示すように、僅かな円弧状に沿って変移しながら突出長の最長の側から切り込み線２５に入り込む。
【００４２】
前記差し込み片２４の平面形状は任意であり、例えば各先端両側に係止突部を設けて略Ω状に形成してもよい。しかし、差し込み片２４を略Ω状に形成した場合、該差し込み片２４を上述のように円弧状に沿って変移させた際に突出長の大きい側の突部が邪魔になり、無理に差し込操作しないと、切り込み線２５に差し込みにくいことになる。
【００４３】
この点につき、この例では、差し込み片２４における係止突部２４ａを前記コーナー部Ｘから離れた側にのみ設けてあり、前記差し込み操作時には、差し込み片２４が切り込み線２５に対して実線で示すように突出長が最長の側を先頭にして進入することになり、差し込みの操作が無理なく迅速に行える。また、鎖線で示す差し込み状態では、切り込み線２５の内縁に対して係止突部２３ａによる係止力（点線で示す方向）が作用するので、十分な抜け止め状態が確保される。
【００４４】
ところで、上記実施形態では、ポケット部２をファイル本体１における裏表紙１Ｂの内面に設けた例で説明したが、表表紙１Ａにポケット部２を設けてもよく、また、表表紙１Ａおよび裏表紙１Ｂの双方に前記ポケット部２を設けることも可能である。
【００４５】
また、前述したようなファイルの製造上の利点、即ち、切断加工後にファイルの表面の一部分のみに印刷を施すことを可能にするメリットを享受するために、切り込み線２５、２６の両端の拡大孔部２５ａ、２５ｂ、２６ａ、２６ｂは、図９に示すように、これを完全に打抜いたものとせず、その周縁の一部に非切断連続部３１、３１を有するものとして、孔部打抜き片３１ａ、３１ａを折返し片２１、２２に残存せしめたものとすることが望ましい。このように孔部打抜き片３１ａ、３１ａを残存せしめたものとすることにより、予め所定形状に切断加工した展開形状のファイルに同時に拡大孔部２５ａ、２５ｂ、２６ａ、２６ｂの切断加工も施したのちに、事後的に該ファイルの表面の極く一部分のみに凸版、活版、シルク印刷等で所要の表示等の印刷を行うことも支障なく行いうるものとなしうる。
【図面の簡単な説明】
【００４６】
【図１】この考案の実施形態にかかるポケット付きファイルを展開して示す平面図である。
【図２】同じくポケット付きファイルを二つ折り状態で示す外観斜視図である。
【図３】同じくポケット付きファイルにおける底部折り返し片および側部折り返し片をそれぞれ折り返した状態で示す斜視図である。
【図４】同じくポケット付きファイルにおける底部折り返し片側の差し込み片を側部折り返し片側の切り込み線に差し込んだ状態を示す平面図である。
【図５】図４のＡ−Ａ線に沿った一部拡大断面図である。
【図６】同じくポケット付きファイルにおける側部折り返し片側の差し込み片を底部折り返し片側の切り込み線に差し込んだ状態を示す平面図である。
【図７】図６のＢ−Ｂ線に沿った一部拡大断面図である。
【図８】差し込み片の差し込み状況の説明図である。
【図９】係止用の切り込み線の両端に形成する拡大孔部の形成態様の好ましい変形例を示す一部拡大正面図である。
【図１０】従来のポケット付きファイルの説明図である。
【符号の説明】
【００４７】
１・・・・・・・・・・・・・・・・ファイル本体
２・・・・・・・・・・・・・・・・ポケット部
１Ａ・・・・・・・・・・・・・・・表表紙
１Ｂ・・・・・・・・・・・・・・・裏表紙
１１，１１・・・・・・・・・・・・名刺保持用切り込み線
２１・・・・・・・・・・・・・・・底部折り返し片
２１Ａ，２２Ａ・・・・・・・・・・重合部
２２・・・・・・・・・・・・・・・側部折り返し片
２３，２４・・・・・・・・・・・・差し込み片
２３ａ，２４ａ・・・・・・・・・・係止突部
２５，２６・・・・・・・・・・・・切り込み線
２５ａ，２５ｂ、２６ａ，２６ｂ・・拡大孔部
３１・・・・・・・・・・・・・・・非切断連続部
３１ａ・・・・・・・・・・・・・・孔部打抜き片
Ｌ・・・・・・・・・・・・・・・・中央谷折り線
Ｍ・・・・・・・・・・・・・・・・書類
Ｐ１，Ｑ１・・・・・・・・・・・・第１谷折り線
Ｐ２，Ｑ２・・・・・・・・・・・・第２谷折り線
【図１】
0003103213.tif 000003
【図２】
0003103213.tif 000004
【図３】
0003103213.tif 000005
【図４】
0003103213.tif 000006
【図５】
0003103213.tif 000007
【図６】
0003103213.tif 000008
【図７】
0003103213.tif 000009
【図８】
0003103213.tif 000010
【図９】
0003103213.tif 000011
【図１０】
0003103213.tif 000012